(57)【特許請求の範囲】
【請求項１】
洋服等を展示または収納するために懸架する大型ハンガーラックにおいて、水平な床等の設置面に対し垂直に天井まで伸延して天井と設置面とに固定される棒状鉄材からなる左右一対の支柱と、該一対の支柱の天井付近と設置面付近に装着される補強材を接合するための上下接続部と、該上下接続部に接続され対向する支柱に向かって三角形を形成する２本の補強材と、該２本の補強材が交差する三角形の頂点と対向する支柱の補強材が形成する三角形の頂点とを接合する洋服等を展示または収納のために懸架する懸架棒と、からなることを特徴とする大型ハンガーラック
【請求項２】
前記大型ハンガーラックは、支柱が天井に届かない際に、左右一対の支柱の上端部を堅固に連結する梁を装備し、更にラック全体の揺れを防止するために天井と梁を複数箇所で略三角状に接続する揺れ防止部を装備したことを特徴とする前記請求項１記載の大型ハンガーラック
【請求項３】
前記大型ハンガーラックは、支柱と支柱のスパンが長いために懸架棒を長く設定した場合に、中間部分の撓みを防止するために支柱と支柱との間に懸架棒を設置面から支持する補強柱を装備したことを特徴とする前記請求項１記載の大型ハンガーラック
【発明の詳細な説明】
【０００１】
【発明の属する技術分野】
本発明は、洋服等をハンガーで吊るすためのハンガーラックに関し、特に大量の洋服等を同時に懸架してもその荷重に耐えられるスパンの長い大型のハンガーラックに関する。
【０００２】
【従来の技術】
【特許文献】
特開２００２−３４７６４号公報
【０００３】
洋服等を吊り下げ懸架する道具としてハンガーが商業用にも家庭用にも一般的に使用されている。一般家庭では洋服等の掛かったハンガーをハンガーラックにかけて箪笥やクローゼット等に収納している。従来のスーパーや洋服専門店の規模は商品の数に対してそれほど大きくなく、商品の陳列も棚に置くか、それほど大きくない小型のハンガーラックに掛けて陳列していた。また、商品を多く陳列するために、通路を狭くし、ハンガーラックを乱立させている店舗も多かった。
【０００４】
近年、スーパーや量販店の大型化に伴い、洋服専門の大型店も出店が多くなってきており、ロフトタイプの郊外型の量販店も出現している。大型店舗では商品を大量に陳列する広い空間が利用可能であるため、ハンガーラックを大量に使用して商品を陳列している。
洋服を購入する際は、試着をする事が多く、ズボンや婦人服のように脱いで試着する商品は試着室で試着を行うが、パーカーやコート等のように洋服の上からでも試着できる商品は通路で試着する場合が多い。そのため、顧客側は商品の陳列量は多いことを望んいるものの、商品によって通路が狭くなることを好まず、従来は通路で試着をする人の邪魔となり自分の好きなよう時間をかけて洋服を選んだりすることに不便であった。
【０００５】
大型店舗で小型のハンガーラックを大量に使用すると美観を損ねるだけではなく、商品がどこにあるのかすぐに把握する事が不可能で、買い物客にとっては不便を感じるマイナス点となっていた。また、商品を棚に陳列する際は、畳んで重ね置きをしており、サイズや色毎に上段から下段まで陳列されていた。棚に陳列する方法も良いが、あまり流通していないサイズや色は陳列棚上段に置かれる事が多く、一部の顧客からは不満が出ていた。買い物客の多くは商品を手に取り、実際に広げて品定めをする。しかし、ちゃんと折り畳んで元に戻す人は少なく、店員が定期的に見まわり、商品を折り畳み陳列するため手間がかかっていた。そこで、大型で大量の商品を陳列しても強固に固定できるハンガーラックの開発が待たれていた。
【０００６】
しかしながら、スパンの長いハンガーラックは耐荷重性がないので存在しないのが実情である。大量の衣類等を懸架することになるので、懸架棒が長いと、中央がその重さで撓み、陳列商品が偏る等の不便が生ずる。また、商品の荷重に耐えられる堅固なハンガーラックを作り付けに設けたとしても、模様替え等の際には不便になるという欠点があった。
また、耐荷重性を重んじると、ハンガーラックの装置全体が重厚になり、その取り扱いかいが煩雑または邪魔になることが多かった。そこで、設置が簡単で、かつスパンの長いハンガーラックの開発が待たれていた。
【０００７】
【発明が解決しようとする課題】
上記問題を解決するために本発明の大型ハンガーラックは、大量の商品をハンガーに掛けた状態で懸架する耐荷重性に優れ、長いスパンであっても設置が簡単で、揺れのない支柱と長い懸架棒と強力な補強材とからなる構造の大型のハンガーラックを提供する事を目的としている。
【０００８】
【課題を解決するための手段】
上記課題を達成するために本発明に係る大型ハンガーラックは、洋服等を展示または収納するために懸架する大型ハンガーラックであって、水平な床等の設置面に対し垂直に天井まで伸延して天井と設置面とに固定される棒状鉄材からなる左右一対の支柱と、該一対の支柱の天井付近と設置面付近に装着される補強材を接合するための上下接続部と、該上下接続部に接続され対向する支柱に向かって三角形を形成する２本の補強材と、該２本の補強材が交差する三角形の頂点と対向する支柱の補強材が形成する三角形の頂点とを接合する洋服等を展示または収納のために懸架する懸架棒と、からなる構造である。
【０００９】
大型ハンガーラックは、支柱が天井に届かない際に、左右一対の支柱の上端部を堅固に連結する梁を装備し、更にラック全体の揺れを防止するために天井と梁を複数箇所で略三角状に接続する揺れ防止部を装備した構成とすることも出来る。更に、大型ハンガーラックは、支柱と支柱のスパンが長いために懸架棒を長く設定した場合に、中間部分の撓みを防止するために支柱と支柱との間に懸架棒を設置面から支持する補強柱を装備した構成とすることも可能である。
【００１０】
【作用】
本発明に係る大型ハンガーラックは、左右一対の支柱と該支柱の上下接合部から三角形に伸延する補強材により堅固に指示された懸架棒により、従来のハンガーラックよりも大型であって大量の商品を懸架しても安定性があり、多くの商品を顧客の視覚に晒すことが可能である。この為、大量の商品をハンガーにより綺麗に陳列し、店舗等の展示会場の美観を保つことが可能となる。
【００１１】
【発明の実施の形態】
以下に本発明を図面に示す実施例を用いて詳細に説明する。図１（ａ）は本発明に係る大型ハンガーラックの正面図,同じく（ｂ）は懸架棒接続部材の側面図である。図２（ａ）は本発明にかかる大型ハンガーラックの別の実施例の正面図、同じく（ｂ）は側面図である。
本発明の大型ハンガーラック１０は、支柱２０と補強材３０と懸架棒４０とからなり、懸架棒４０が左右一対の支柱２０の間に補強材３０を介して設置される。
【００１２】
支柱２０は、少なくとも左右２本からなる一対の支柱が必要であり、図１に示すとおり間隔をおいて設置される。支柱は水平な床等の設置面に対し垂直に天井まで伸延する棒状の鉄材からなる。左右２本の支柱の設置間隔は、通常のハンガーラックを設置する間隔とは異なり、かなりのロングスパン（長尺）に（例えば３ｍに）設定することが可能である。支柱の下端は床等の設置面にボルト２４等の締結具で固着され、上端は天井にボルト２４等の締結具で固着される。支柱の天井付近と設置面付近には補強材３０を接合する為の上部の接続部２２と下部の接続部２２が装着されている。
【００１３】
床等の設置面に設置する際は、堅固に支柱を支持するために、モルタル２６を床と支柱２０の間に敷設し、支柱の下端に延設されたフランジ部分の孔にボルト等２４を挿通して堅固に立設する。床と支柱の間に敷設するモルタル２６はコンクリートの一種であり、モルタル等と同様の素材（コンクリート等）またはその他の代用可能な素材を使用することが可能である。
また、本発明の別の実施例のように支柱の上端を結ぶ梁を装備し、大型ハンガーラックの強度を増すことが考えられるが、この実施例では天井にボルト２２で固定して大型ハンガーラックの強度を保持している。
【００１４】
補強材３０は図１で示すように、支柱に対して三角形を形成するように斜めに装着される２本の鉄製の棒体からなり、ターンバックル３４を装備した上下補強棒３１と上下２本の補強棒を結合する中央に設置された懸架棒接続部材３６とからなる。
上下補強材３０の各端部には、支柱２０及び吊下げ棒接続部材３６と接続するためのボルト孔が穿孔されている。
２本の補強棒３１にはそれぞれの中間に補強棒を牽引して装置全体を堅固に固定緊張させるターンバックル３４が装備されている。
【００１５】
懸架棒接続部材３６は、懸架棒４０と補強棒３１と接続するための跨線橋形に屈曲形成された平板状の結合具であり、中央凸部の平坦部に懸架棒４０を螺合接続する孔３９が穿孔されており、両側の陵面に補強棒３１と接続するボルト孔３８が穿設されている。中央の接続孔３９には懸架棒４０が装着される。また、陵面のボルト孔３８には上下の補強棒３１がボルト等の結合具に支柱との間で三角形を形成するように斜めに連結結合される。
【００１６】
ターンバックル３４は、補強棒３１の中間に装備された回動操作する締め付け具である。ターンバックル３４を緩ませた状態で上下２本の補強棒３１をボルト等の結合具で懸架棒接続部材３６に装着し、懸架棒４０を差し渡してからターンバックルを回転操作することにより、左右の懸架棒接続部材３６が両側に引かれるように装置全体が締め付けられて緊張し、結果として耐荷重性の高い懸架棒４０を強固に固定することが可能となる。
【００１７】
懸架棒４０は、ハンガー等を吊り下げるための懸架具であり、二本の支柱間に設置される。二本の支柱２０に設けられた懸架棒接続部材３６と接続するために懸架棒４０の両端には螺子山が形成され、吊下げ棒接続部材３６の孔３９に嵌入されてからナット等で堅固に支柱に固着される。
図面に示す実施例では懸架棒は約３メートルの長さのものを用いている。懸架する対象物の重量にもよるが６メートル程度の長さにすることも可能である。
ただし、差し渡しの幅が３メートル以上になる場合は撓みが大きくなり美観を損ねるだけでなく、危険な状態となってしまうので、本発明の別の実施例に示す補強柱を装備することが望ましい。
【００１８】
図２（ａ）（ｂ）に本発明に係る大型ハンガーラックの別の実施例を示す。大型ハンガーラックであっても支柱が天井に届かない際は、上部に梁５０を装備し、固定することが可能である。左右の支柱２０の上端に堅固に梁５０を連結した構造であり天井の高い展示場で使用するのに便利である。また、梁５０を設けた構成では、天井に固定させない構造であるので移動や移設することが可能である。
さらに、振動等で揺動しないように、支柱２０の上部に略三角形状の揺れ防止部６０を設けて、天井に固定することも可能である。
【００１９】
梁５０は、二本の支柱の上端部を固定する棒状部材である。接続に当たっては、梁５０と支柱２０が接続するように略台形状の接続部２２を設けている。接続部２２と梁５０は、接続部２２に穿孔されている孔２５にボルト等で接続される。梁５０は主に支柱２０が天井まで届かないところで使用される。
【００２０】
揺れ防止部６０は、天井に固定されていないハンガーラックが揺れて転倒してしまうのを防止するための連結具であり、支柱２０上部と天井とを連結して支柱が天井に届かない大型ハンガーラックを揺動しないように天井に接続固定する。梁５０の長手方向に対して垂直方向の揺れを防止するために、支柱２０に対して略６０度斜め方向に設置されて天井にボルト等（図示しない）で接続している。
【００２１】
補強柱７０は支柱と支柱のスパンが長いために懸架棒を長く設定した場合に中間部分の撓みを防止するために中間で懸架棒４０を支える棒状体であり、床等の設置面から立設され、設置面とはボルト等（図示しない）の接合具で堅固に接続されている。図３で示す本発明の大型ハンガーラックの別の実施例では、３メートル以上の幅の懸架棒４０を使用する場合が開示されている。懸架する対象物の荷重の総量にもよるが、支柱８０と支柱８０の中間に懸架棒４０を支える補強柱７０を装備することが可能である。
【００２２】
補強柱７０は、延長用の懸架棒４０を接続する接合部として使用することも可能である。より幅の長いラックを必要とする場合には、２本の懸架棒４０を接続して使用することが可能である。この場合は、懸架棒４０の接続端部にターンバックル７４を装着して長さの調節が出来るように装備することが望ましい。
補強柱７０を何本も用いて長いハンガーラックを構成することも可能である。
ただし、実際の使用に当たっては強度と安全面から最大６メートル以上のハンガーラックにしないほうがよい。これは補強柱と補強中との間に支柱が介在しないために耐荷重性能を確保できないためである。
また、補強柱７０を図１、図２で示す大型ハンガーラックに使用することも可能である。
【００２４】
本発明の大型ハンガーラックを用いる事により、郊外等に大量に建造されている洋服専門店でも店舗の美観を良くする事が可能となる。また、棚に平置き陳列しないでハンガーに掛けて大量に陳列することができるため、洋服を折り畳む手間が省けて便利である。また、本発明の大型ハンガーラックは懸架させて陳列できる商品および収納できる商品であればどのような商品でも対応することが可能である。
【００２５】
【発明の効果】
本発明の大型ハンガーラックは上記詳述したような構成であるので以下のような効果を奏する、
１．三角形の補強材を用いているために耐加重性に優れており、長いスパンであっても懸架棒が撓むことがない。郊外店舗のような大型店に設置することにより、小型のハンガーラックを数多く使用しなくてもよいために全体の美観をすっきりと良くすることが出来る。従来にくらべてより多くの商品をハンガーに吊り下げて展示できるので多くの商品が顧客の目に晒されて商品が買い易くなるという利点がある。天井と床に堅固に装着されているので揺動することなく安全である。
２．支柱の上端を連結する梁を装備することにより、天井に届かない場合でも堅固に構成することが可能であり、ラック全体の揺れを防止する防止部を天井と梁または支柱との間に連結装着することによりすっきりとした構成で大量の商品を懸架することが出来る。
３．補強柱を支柱と支柱の間に設けて懸架棒の撓みを防止しているので、強度に問題はなく、長いスパンであっても大量のハンガーを掛ける事が可能となる。
【図面の簡単な説明】
【図１】  （ａ）本発明に係る大型ハンガーラックの正面図、（ｂ）懸架棒接続部材の側面図
【図２】  （ａ）本発明にかかる大型ハンガーラックの別の実施例の正面図、（ｂ）同側面図
【符号の説明】
１０      大型ハンガーラック
２０，８０  支柱
２２      接続部
２４      ボルト
３０      補強材
３１      補強棒
３２      支柱接続部
３４、７４  ターンバックル
３６      懸架棒接続部材
３８      ボルト
４０      懸架棒
５０      梁
６０      揺れ防止部
７０      補強柱
８２      貫通孔
８４      サヤ管
【図１】
0003676772.tif 000002
【図２】
0003676772.tif 000003